(57)【要約】本明細書の態様は、ワイヤレス通信において基準信号送信の密度を増大させることを説明する。１つまたは複数のアンテナポート向けの基準信号が送信されるようにスケジュールされる１つまたは複数のアンテナポート用のリソース要素を各々示す、複数の基準信号構成が受信できる。同様のチャネル特性を有するものとして少なくとも２つのアンテナポート間の関連付けを示す関連付け構成がまた、受信できる。複数の基準信号構成のうちの少なくとも２つの中で示されたように少なくとも２つのアンテナポートに対応するリソース要素内で複数の基準信号が受信でき、複数の基準信号構成は、複数の基準信号の少なくとも一部分を介して少なくとも２つのアンテナポートのチャネルの同様のチャネル特性のチャネル測定を行うために使用できる。【選択図】図３
2020520600.tif 000002
【特許請求の範囲】
【請求項１】
ワイヤレス通信において基準信号送信の密度を増大させるための方法であって、
１つまたは複数のアンテナポート向けの基準信号が送信されるようにスケジュールされる前記１つまたは複数のアンテナポート用のリソース要素を各々示す複数の基準信号構成を受信することと、
同様のチャネル特性に関係するものとして少なくとも２つのアンテナポート間の関連付けを示す関連付け構成を受信することと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信することと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うことと
を備える、方法。
【請求項２】
前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、請求項１に記載の方法。
【請求項３】
前記関連付け構成は、前記少なくとも２つのアンテナポートが同じアンテナポートであると想定され得ることを示す、請求項１に記載の方法。
【請求項４】
前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定することをさらに備える、請求項１に記載の方法。
【請求項５】
前記複数の基準信号を前記受信することは、スロットの異なるシンボル内にある前記少なくとも２つのアンテナポート用の前記リソース要素上で前記複数の基準信号を受信することを備える、請求項１に記載の方法。
【請求項６】
前記チャネル測定を行うことは、前記少なくとも２つのアンテナポート上でチャネルの前記同様のチャネル特性の前記チャネル測定を行うことを備える、請求項１に記載の方法。
【請求項７】
前記複数の基準信号を前記受信することは、スロットの同じ複数のシンボル内にあって周波数上で均一に間隔が空けられた前記少なくとも２つのアンテナポートに対応する前記リソース要素内で前記複数の基準信号を受信することを備える、請求項１に記載の方法。
【請求項８】
前記複数の基準信号を前記受信することは、スロットの異なるシンボル内にあって周波数上で均一に間隔が空けられた前記少なくとも２つのアンテナポートに対応する前記リソース要素内で前記複数の基準信号を受信することを備える、請求項１に記載の方法。
【請求項９】
前記複数の基準信号を前記受信することは、異なるスロット内にある前記少なくとも２つのアンテナポートに対応する前記リソース要素内で前記複数の基準信号を受信することを備える、請求項１に記載の方法。
【請求項１０】
前記複数の基準信号を前記受信することは、前記複数の基準信号構成に基づいてアクセスポイントによって送信された複数のチャネル状態情報（ＣＳＩ）基準信号を受信することを備える、請求項１に記載の方法。
【請求項１１】
前記複数のＣＳＩ基準信号の少なくとも一部分に少なくとも部分的に基づいて、前記複数の基準信号構成のうちの１つに関連付けられた前記１つまたは複数のアンテナポートの各々についてのチャネル状態情報を測定することと、前記測定されたチャネル状態情報の指示を前記アクセスポイントに送信することとをさらに備える、請求項１０に記載の方法。
【請求項１２】
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、前記１つまたは複数のプロセッサは、
１つまたは複数のアンテナポート向けの基準信号が送信されるようにスケジュールされる前記１つまたは複数のアンテナポート用のリソース要素を各々示す複数の基準信号構成を受信することと、
同様のチャネル特性に関係するものとして少なくとも２つのアンテナポート間の関連付けを示す関連付け構成を受信することと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信することと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うことと
をするように構成される、
装置。
【請求項１３】
前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、請求項１２に記載の装置。
【請求項１４】
前記１つまたは複数のプロセッサは、前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するようにさらに構成される、請求項１２に記載の装置。
【請求項１５】
前記１つまたは複数のプロセッサは、スロットの異なるシンボル内にある前記少なくとも２つのアンテナポート用の前記リソース要素上で前記複数の基準信号を受信するように構成される、請求項１２に記載の装置。
【請求項１６】
前記１つまたは複数のプロセッサは、前記少なくとも２つのアンテナポート上でチャネルの前記同様のチャネル特性の前記チャネル測定を行うように構成される、請求項１２に記載の装置。
【請求項１７】
前記１つまたは複数のプロセッサは、スロットの同じ複数のシンボル内にあるか、または前記スロットの異なる複数のシンボル内にあって周波数上で均一に間隔が空けられた前記少なくとも２つのアンテナポートに対応する前記リソース要素内で前記複数の基準信号を受信するように構成される、請求項１２に記載の装置。
【請求項１８】
前記１つまたは複数のプロセッサは、異なるスロット内にある前記少なくとも２つのアンテナポートに対応する前記リソース要素内で前記複数の基準信号を受信するように構成される、請求項１２に記載の装置。
【請求項１９】
ワイヤレス通信のための装置であって、
１つまたは複数のアンテナポート向けの基準信号が送信されるようにスケジュールされる前記１つまたは複数のアンテナポート用のリソース要素を各々示す複数の基準信号構成を受信するための手段と、
同様のチャネル特性に有するものとして少なくとも２つのアンテナポート間の関連付けを示す関連付け構成を受信するための手段と、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信するための手段と、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うための手段と
を備える、装置。
【請求項２０】
前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、請求項１９に記載の装置。
【請求項２１】
前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するための手段をさらに備える、請求項１９に記載の装置。
【請求項２２】
前記複数の基準信号を受信するための前記手段は、スロットの異なるシンボル内にある前記少なくとも２つのアンテナポート用の前記リソース要素上で前記複数の基準信号を受信する、請求項１９に記載の装置。
【請求項２３】
行うための前記手段は、前記少なくとも２つのアンテナポート上でチャネルの前記同様のチャネル特性の前記チャネル測定を行う、請求項１９に記載の装置。
【請求項２４】
前記複数の基準信号を受信するための前記手段は、スロットの同じ複数のシンボル内にあるか、またはスロットの異なるシンボル内にあって周波数上で均一に間隔が空けられた前記少なくとも２つのアンテナポートに対応する前記リソース要素内で前記複数の基準信号を受信する、請求項１９に記載の装置。
【請求項２５】
前記複数の基準信号を受信するための前記手段は、異なるスロット内にある前記少なくとも２つのアンテナポートに対応する前記リソース要素内で前記複数の基準信号を受信する、請求項１９に記載の装置。
【請求項２６】
ワイヤレス通信のための１つまたは複数のプロセッサによって実行可能なコードを備えるコンピュータ可読媒体であって、前記コードは、
１つまたは複数のアンテナポート向けの基準信号が送信されるようにスケジュールされる前記１つまたは複数のアンテナポート用のリソース要素を各々示す複数の基準信号構成を受信するためのコードと、
同様のチャネル特性に有するものとして少なくとも２つのアンテナポート間の関連付けを示す関連付け構成を受信するためのコードと、ここにおいて、前記少なくとも２つのアンテナポートは前記複数の基準信号構成のうちの少なくとも２つの中のアンテナポートに対応するものである、
前記複数の基準信号構成のうちの前記少なくとも２つの中で示されたように前記少なくとも２つのアンテナポートに対応する前記リソース要素内で複数の基準信号を受信するためのコードと、
前記関連付け構成に少なくとも部分的に基づいて、前記少なくとも２つのアンテナポートに対応する前記リソース要素上で受信された前記複数の基準信号の少なくとも一部分を介して、前記少なくとも２つのアンテナポートのチャネルの前記同様のチャネル特性のチャネル測定を行うためのコードと
を備える、コンピュータ可読媒体。
【請求項２７】
前記関連付け構成は、前記少なくとも２つのアンテナポートが受信機の空間パラメータ、遅延拡散、ドップラー拡散、平均遅延、ドップラーシフト、またはそれらの組合せのうちの少なくとも１つに関して準コロケートされていることを示す、請求項２６に記載のコンピュータ可読媒体。
【請求項２８】
前記少なくとも２つのアンテナポートのチャネルの前記同様のチャネル特性の前記チャネル測定に少なくとも部分的に基づいて、時間トラッキング値、周波数トラッキング値、ドップラー拡散推定値、または遅延拡散推定値のうちの少なくとも１つを決定するためのコードをさらに備える、請求項２６に記載のコンピュータ可読媒体。
【請求項２９】
前記複数の基準信号を受信するための前記コードは、スロットの異なるシンボル内にある前記少なくとも２つのアンテナポート用の前記リソース要素上で前記複数の基準信号を受信するものである、請求項２６に記載のコンピュータ可読媒体。
【請求項３０】
前記複数の基準信号を受信するための前記コードは、スロットの同じ複数のシンボル内にあるか、またはスロットの異なる複数のシンボル内にあって周波数上で均一に間隔が空けられた前記少なくとも２つのアンテナポートに対応する前記リソース要素内で前記複数の基準信号を受信するものである、請求項２６に記載のコンピュータ可読媒体。
【請求項３１】
前記複数の基準信号を受信するための前記コードは、異なるスロット内にある前記少なくとも２つのアンテナポートに対応する前記リソース要素内で前記複数の基準信号を受信するものである、請求項２６に記載のコンピュータ可読媒体。
【請求項３２】
ワイヤレス通信において基準信号送信の密度を増大させるための方法であって、
１つまたは複数のアンテナポート向けの基準信号が送信されるようにスケジュールされる前記１つまたは複数のアンテナポート用のリソース要素を各々示す複数の基準信号構成を送信することと、
同様のチャネル特性に関係するものとして少なくとも２つのアンテナポート間の関連付けを示す関連付け構成を送信することと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信することと
を備える、方法。
【請求項３３】
前記基準信号を送信することは、スロットの異なるシンボル内にある前記少なくとも２つのアンテナポートに対応する前記リソース要素内で前記基準信号を送信することを備える、請求項３２に記載の方法。
【請求項３４】
前記基準信号を送信することは、スロットの複数のシンボルの同じセット内にあって周波数上で均一に間隔が空けられた前記少なくとも２つのアンテナポートに対応する前記リソース要素内で前記基準信号を送信することを備える、請求項３２に記載の方法。
【請求項３５】
前記基準信号を送信することは、スロットの異なるシンボル内にあって周波数上で均一に間隔が空けられた前記少なくとも２つのアンテナポートに対応する前記リソース要素内で前記基準信号を送信することを備える、請求項３２に記載の方法。
【請求項３６】
前記基準信号を送信することは、異なるスロット内にある前記少なくとも２つのアンテナポートに対応する前記リソース要素内で前記基準信号を送信することを備える、請求項３２に記載の方法。
【請求項３７】
前記基準信号は、前記複数の基準信号構成に基づいてアクセスポイントによって送信されたチャネル状態情報（ＣＳＩ）基準信号である、請求項３２に記載の方法。
【請求項３８】
前記ＣＳＩ基準信号を受信するデバイスから、前記ＣＳＩ基準信号に基づいてＣＳＩに関係する１つまたは複数のパラメータを受信することをさらに備える、請求項３７に記載の方法。
【請求項３９】
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、前記１つまたは複数のプロセッサは、
１つまたは複数のアンテナポート向けの基準信号が送信されるようにスケジュールされる前記１つまたは複数のアンテナポート用のリソース要素を各々示す複数の基準信号構成を送信することと、
同様のチャネル特性に関係するものとして少なくとも２つのアンテナポート間の関連付けを示す関連付け構成を送信することと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信することと
をするように構成される、
装置。
【請求項４０】
前記１つまたは複数のプロセッサは、スロットの異なるシンボル内にあって前記少なくとも２つのアンテナポートに対応する前記リソース要素内で前記基準信号を送信するように構成される、請求項３９に記載の装置。
【請求項４１】
前記１つまたは複数のプロセッサは、スロットの複数のシンボルの同じセット内にあって周波数上で均一に間隔が空けられた前記少なくとも２つのアンテナポートに対応する前記リソース要素内で前記基準信号を送信するように構成される、請求項３９に記載の装置。
【請求項４２】
前記１つまたは複数のプロセッサは、スロットの異なるシンボル内にあって周波数上で均一に間隔が空けられた前記少なくとも２つのアンテナポートに対応する前記リソース要素内で前記基準信号を送信するように構成される、請求項３９に記載の装置。
【請求項４３】
前記１つまたは複数のプロセッサは、異なるスロット内にあって前記少なくとも２つのアンテナポートに対応する前記リソース要素内で前記基準信号を送信するように構成される、請求項３９に記載の装置。
【請求項４４】
ワイヤレス通信のための装置であって、
１つまたは複数のアンテナポート向けの基準信号が送信されるようにスケジュールされる前記１つまたは複数のアンテナポート用のリソース要素を各々示す複数の基準信号構成を送信するための手段と、
同様のチャネル特性に関係するものとして少なくとも２つのアンテナポート間の関連付けを示す関連付け構成を送信するための手段と、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信するための手段と
を備える、装置。
【請求項４５】
前記基準信号を送信するための前記手段は、スロットの異なるシンボル内にあって前記少なくとも２つのアンテナポートに対応する前記リソース要素内で前記基準信号を送信する、請求項４４に記載の装置。
【請求項４６】
前記基準信号を送信するための前記手段は、スロットの複数のシンボルの同じセット内にあって周波数上で均一に間隔が空けられた前記少なくとも２つのアンテナポートに対応する前記リソース要素内で前記基準信号を送信する、請求項４４に記載の装置。
【請求項４７】
前記基準信号を送信するための前記手段は、スロットの異なるシンボル内にあって周波数上で均一に間隔が空けられた前記少なくとも２つのアンテナポートに対応する前記リソース要素内で前記基準信号を送信する、請求項４４に記載の装置。
【請求項４８】
前記基準信号を送信するための前記手段は、異なるスロット内にあって前記少なくとも２つのアンテナポートに対応する前記リソース要素内で前記基準信号を送信する、請求項４４に記載の装置。
【請求項４９】
ワイヤレス通信のための１つまたは複数のプロセッサによって実行可能なコードを備えるコンピュータ可読媒体であって、前記コードは、
１つまたは複数のアンテナポート向けの基準信号が送信されるようにスケジュールされる前記１つまたは複数のアンテナポート用のリソース要素を各々示す複数の基準信号構成を送信するためのコードと、
同様のチャネル特性に関係するものとして少なくとも２つのアンテナポート間の関連付けを示す関連付け構成を送信するためのコードと、ここにおいて、前記少なくとも２つのアンテナポートは前記複数の基準信号構成のうちの少なくとも２つの中のアンテナポートに対応するものである、
前記関連付け構成に少なくとも部分的に基づいて、前記少なくとも２つのアンテナポートに対応する前記複数の基準信号構成のうちの少なくとも２つの中の前記少なくとも２つのアンテナポートに対応する前記リソース要素上で、前記同様のチャネル特性に基づく基準信号を送信するためのコードと
を備える、コンピュータ可読媒体。
【請求項５０】
前記基準信号を送信するための前記コードは、スロットの異なるシンボル内にあって前記少なくとも２つのアンテナポートに対応する前記リソース要素内で前記基準信号を送信するものである、請求項４９に記載のコンピュータ可読媒体。
【請求項５１】
前記基準信号を送信するための前記コードは、スロットの複数のシンボルの同じセット内にあって周波数上で均一に間隔が空けられた前記少なくとも２つのアンテナポートに対応する前記リソース要素内で前記基準信号を送信するものである、請求項４９に記載のコンピュータ可読媒体。
【請求項５２】
前記基準信号を送信するための前記コードは、スロットの異なるシンボル内にあって周波数上で均一に間隔が空けられた前記少なくとも２つのアンテナポートに対応する前記リソース要素内で前記基準信号を送信するものである、請求項４９に記載のコンピュータ可読媒体。
【請求項５３】
前記基準信号を送信するための前記コードは、異なるスロット内にあって前記少なくとも２つのアンテナポートに対応する前記リソース要素内で前記基準信号を送信するものである、請求項４９に記載のコンピュータ可読媒体。
【発明の詳細な説明】
【関連出願の相互参照】
【０００１】
[0001]  本特許出願は、２０１８年５月１０日に出願され「ＩＮＣＲＥＡＳＩＮＧ  ＲＥＦＥＲＥＮＣＥ  ＳＩＧＮＡＬ  ＤＥＮＳＩＴＹ  ＩＮ  ＷＩＲＥＬＥＳＳ  ＣＯＭＭＵＮＩＣＡＴＩＯＮＳ」と題する米国非仮出願第１５／９７６，１６９号、および２０１７年５月１２日に出願され「ＩＮＣＲＥＡＳＩＮＧ  ＲＥＦＥＲＥＮＣＥ  ＳＩＧＮＡＬ  ＤＥＮＳＩＴＹ  ＩＮ  ＷＩＲＥＬＥＳＳ  ＣＯＭＭＵＮＩＣＡＴＩＯＮＳ」と題する米国仮出願第６２／５０５，６５４号の優先権を主張するもので、これは本出願の譲受人に譲渡されて、全ての目的のために参照により本明細書に明確に組み込まれる。
【技術分野】
【０００２】
[0002]  本開示の態様は、一般に、ワイヤレス通信システムに関し、より詳細には、基準信号を送信することに関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することにより、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびシングルキャリア周波数分割多元接続（ＳＣ−ＦＤＭＡ）システムが含まれる。
【０００４】
[0004]  これらの多元接続技術は、様々なワイヤレスデバイスが都市、国家、地域、さらには地球規模で通信することを可能にする共通プロトコルを提供するために、様々な電気通信規格において採用されている。例えば、第５世代（５Ｇ）ワイヤレス通信技術（５Ｇ新無線（５Ｇ  ＮＲ）と呼ばれ得る）は、現行のモバイルネットワーク世代に対して多様な使用シナリオおよび用途を拡張しサポートするものと想定される。一態様において、５Ｇ通信技術は、マルチメディアのコンテンツ、サービス、およびデータにアクセスするための人間中心使用事例に対処する拡張モバイルブロードバンド（ｅＭＢＢ：enhanced mobile broadband）、待ち時間および信頼性についてのいくつかの規格を有する超高信頼低遅延通信（ＵＲＬＬＣ：ultra-reliable-low latency communications）、並びに、非常に多数の接続デバイス、および比較的少量の非遅延機密情報の送信を可能にできる大量のマシンタイプ通信などのサービスを含むことができる。しかしながら、モバイルブロードバンドアクセスに対する需要が増加し続けるにつれて、５Ｇ通信技術以降におけるさらなる向上が望まれ得る。
【０００５】
[0005]  ロングタームエボリューション（ＬＴＥ（登録商標））では、例えば、アクセスポイント（例えば、ノードＢ）が、アクセスノード（例えば、ユーザ機器（ＵＥ））においてトラッキングループを駆動するために、セル固有基準信号（ＣＲＳ：cell-specific reference signal）を送信する。ＣＲＳにより、ＵＥによる望ましい処理利得および堅牢なトラッキング性能が、細かい時間トラッキング(fine time tracking)、細かい周波数トラッキング(fine frequency tracking)、ドップラー拡散推定(Doppler spread estimation)、および／または遅延拡散推定(delay spread estimation)を提供することが可能になる。例えば、ＬＴＥにおけるＣＲＳは、システム帯域幅全体にまたがり（ゆえに、細かい時間領域分解能を可能にし）、デスタガリング後の１／３密度を有し（ゆえに、望ましい時間領域引き込み範囲(desirable frequency domain pull-in range)を可能にし）、位相の連続性を保証し、サブフレームごとの複数の観測を可能にする（ゆえに、望ましい周波数領域引き込み範囲を可能にする）ことができ、アクセスポイントによって常に送信され、空間ダイバーシティのための２ポート送信を使用できる。しかしながら、５Ｇの進化で、常時オンの性質がパイロット公害(pilot pollution)を生じさせ、（例えば、ネットワーク負荷が軽いときに）不要なエネルギー消費に導き、並びに／あるいは、柔軟なリソース利用および／もしくはブランキングの障害になり得るので、ＣＲＳはもはや実用的でないことがある。
【０００６】
[0006]  一般に、５Ｇ、ロングタームエボリューション（ＬＴＥ）、および／または他のワイヤレス通信において、アクセスポイントは、複数のアンテナポートの各々について、ユーザ機器（ＵＥ）にチャネル状態情報基準信号（ＣＳＩ−ＲＳ：channel state information reference signal）も送信できる。ＵＥは、対応するアンテナポートについてのチャネル特性（またはチャネル状態情報（ＣＳＩ：channel state information））を決定するために、このＣＳＩ−ＲＳを測定できる。従って、アクセスポイントはまた、ＣＳＲ−ＲＳが対応するアンテナポートの各々について送信されるリソース要素（ＲＥ：resource element）を示すために、ＵＥに複数のＣＳＩ−ＲＳ構成を送信できる。しかしながら、所与のＣＳＩ−ＲＳの疎な密度において、ＵＥは、ＬＴＥにおいてＣＲＳを使用して以前に獲得可能であったような、時間／周波数トラッキング、ドップラー拡散推定、遅延拡散推定などを獲得することが可能でないことがある。
【発明の概要】
【０００７】
[0007]  以下に、１つまたは複数の態様の基本的理解を与えるために、そのような態様の簡略化された概要を提示する。この概要は、全ての考察された態様の包括的な概説でなく、全ての態様の主要または重要な要素を識別するものでも、いずれかまたは全ての態様の適用範囲を定めるものでもない。その唯一の目的は、後に提示されるより詳細な説明の前置きとして、１つまたは複数の態様のいくつかの概念を簡略化された形で提示することである。
【０００８】
[0008]  一例によれば、ワイヤレス通信において基準信号送信の密度を増大させるための方法が提供される。この方法は、１つまたは複数のアンテナポート向けの基準信号が送信されるようにスケジュールされる１つまたは複数のアンテナポート用のリソース要素を各々示す複数の基準信号構成を受信することと、同様のチャネル特性(similar channel characteristics)に関係するものとして少なくとも２つのアンテナポート間の関連付けを示す関連付け構成を受信することと、ここにおいて、少なくとも２つのアンテナポートは複数の基準信号構成のうちの少なくとも２つの中のアンテナポートに対応するものである、複数の基準信号構成のうちの少なくとも２つの中で示されたように少なくとも２つのアンテナポートに対応するリソース要素内で複数の基準信号を受信することと、関連付け構成に少なくとも部分的に基づき、少なくとも２つのアンテナポートに対応するリソース要素上で受信された複数の基準信号の少なくとも一部分を介して、少なくとも２つのアンテナポートのチャネルの同様のチャネル特性のチャネル測定を行うこととを含む。
【０００９】
[0009]  別の例では、ワイヤレス通信のための装置が提供され、これは少なくとも１つの送信機および１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、１つまたは複数のアンテナポート向けの基準信号が送信されるようにスケジュールされる１つまたは複数のアンテナポート用のリソース要素を各々示す複数の基準信号構成を受信することと、同様のチャネル特性に関係するものとして少なくとも２つのアンテナポート間の関連付けを示す関連付け構成を受信することと、ここにおいて、少なくとも２つのアンテナポートは複数の基準信号構成のうちの少なくとも２つの中のアンテナポートに対応するものである、複数の基準信号構成のうちの少なくとも２つの中で示されたように少なくとも２つのアンテナポートに対応するリソース要素内で複数の基準信号を受信することと、関連付け構成に少なくとも部分的に基づき、少なくとも２つのアンテナポートに対応するリソース要素上で受信された複数の基準信号の少なくとも一部分を介して、少なくとも２つのアンテナポートのチャネルの同様のチャネル特性のチャネル測定を行うこととを行うように構成される。
【００１０】
[0010]  別の例では、ワイヤレス通信のための装置が提供される。この装置は、１つまたは複数のアンテナポート向けの基準信号が送信されるようにスケジュールされる１つまたは複数のアンテナポート用のリソース要素を各々示す複数の基準信号構成を受信するための手段と、同様のチャネル特性に関係するものとして少なくとも２つのアンテナポート間の関連付けを示す関連付け構成を受信するための手段と、ここにおいて、少なくとも２つのアンテナポートは複数の基準信号構成のうちの少なくとも２つの中のアンテナポートに対応するものである、複数の基準信号構成のうちの少なくとも２つの中で示されたように少なくとも２つのアンテナポートに対応するリソース要素内で複数の基準信号を受信するための手段と、関連付け構成に少なくとも部分的に基づき、少なくとも２つのアンテナポートに対応するリソース要素上で受信された複数の基準信号の少なくとも一部分を介して、少なくとも２つのアンテナポートのチャネルの同様のチャネル特性のチャネル測定を行うための手段とを含む。
【００１１】
[0011]  別の例では、ワイヤレス通信のための１つまたは複数のプロセッサによって実行可能なコードを含むコンピュータ可読媒体が提供される。このコードは、１つまたは複数のアンテナポート向けの基準信号が送信されるようにスケジュールされる１つまたは複数のアンテナポート用のリソース要素を各々示す複数の基準信号構成を受信するためのコードと、同様のチャネル特性に関係するものとして少なくとも２つのアンテナポート間の関連付けを示す関連付け構成を受信するためのコードと、ここにおいて、少なくとも２つのアンテナポートは複数の基準信号構成のうちの少なくとも２つの中のアンテナポートに対応するものである、複数の基準信号構成のうちの少なくとも２つの中で示されたように少なくとも２つのアンテナポートに対応するリソース要素内で複数の基準信号を受信するためのコードと、関連付け構成に少なくとも部分的に基づき、少なくとも２つのアンテナポートに対応するリソース要素上で受信された複数の基準信号の少なくとも一部分を介して、少なくとも２つのアンテナポートのチャネルの同様のチャネル特性のチャネル測定を行うためのコードとを含む。
【００１２】
[0012]  さらに別の例では、ワイヤレス通信において基準信号送信の密度を増大させるための方法が提供される。この方法は、１つまたは複数のアンテナポート向けの基準信号が送信されるようにスケジュールされる１つまたは複数のアンテナポート用のリソース要素を各々示す複数の基準信号構成を送信することと、同様のチャネル特性に関係するものとして少なくとも２つのアンテナポート間の関連付けを示す関連付け構成を送信することと、ここにおいて、少なくとも２つのアンテナポートは複数の基準信号構成のうちの少なくとも２つの中のアンテナポートに対応するものである、関連付け構成に少なくとも部分的に基づき、少なくとも２つのアンテナポートに対応する複数の基準信号構成のうちの少なくとも２つの中の少なくとも２つのアンテナポートに対応するリソース要素上で、同様の特性に基づく基準信号を送信することとを含む。
【００１３】
[0013]  別の例では、ワイヤレス通信のための装置が提供される。この装置は、少なくとも１つの送信機および１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、１つまたは複数のアンテナポート向けの基準信号が送信されるようにスケジュールされる１つまたは複数のアンテナポート用のリソース要素を各々示す複数の基準信号構成を送信することと、同様のチャネル特性に関係するものとして少なくとも２つのアンテナポート間の関連付けを示す関連付け構成を送信することと、ここにおいて、少なくとも２つのアンテナポートは複数の基準信号構成のうちの少なくとも２つの中のアンテナポートに対応するものである、関連付け構成に少なくとも部分的に基づき、少なくとも２つのアンテナポートに対応する複数の基準信号構成のうちの少なくとも２つの中の少なくとも２つのアンテナポートに対応するリソース要素上で、同様の特性に基づく基準信号を送信することとを行うように構成される。
【００１４】
[0014]  別の例では、ワイヤレス通信のための装置が提供され、これは、１つまたは複数のアンテナポート向けの基準信号が送信されるようにスケジュールされる１つまたは複数のアンテナポート用のリソース要素を各々示す複数の基準信号構成を送信するための手段と、同様のチャネル特性に関係するものとして少なくとも２つのアンテナポート間の関連付けを示す関連付け構成を送信するための手段と、ここにおいて、少なくとも２つのアンテナポートは複数の基準信号構成のうちの少なくとも２つの中のアンテナポートに対応するものである、関連付け構成に少なくとも部分的に基づき、少なくとも２つのアンテナポートに対応する複数の基準信号構成のうちの少なくとも２つの中の少なくとも２つのアンテナポートに対応するリソース要素上で、同様の特性に基づく基準信号を送信するための手段とを含む。
【００１５】
[0015]  別の例では、ワイヤレス通信のための１つまたは複数のプロセッサによって実行可能なコードを含むコンピュータ可読媒体が提供される。このコードは、１つまたは複数のアンテナポート向けの基準信号が送信されるようにスケジュールされる１つまたは複数のアンテナポート用のリソース要素を各々示す複数の基準信号構成を送信するためのコードと、同様のチャネル特性に関係するものとして少なくとも２つのアンテナポート間の関連付けを示す関連付け構成を送信するためのコードと、ここにおいて、少なくとも２つのアンテナポートは複数の基準信号構成のうちの少なくとも２つの中のアンテナポートに対応するものである、関連付け構成に少なくとも部分的に基づき、少なくとも２つのアンテナポートに対応する複数の基準信号構成のうちの少なくとも２つの中の少なくとも２つのアンテナポートに対応するリソース要素上で、同様の特性に基づく基準信号を送信するためのコードとを含む。
【００１６】
[0016]  上記の目的および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に明記するものである。しかしながら、これらの特徴は、様々な態様の原理が採用され得る様々な方法のほんのいくつかを示すものであり、この説明は、全てのそのような態様およびそれらの均等物を含むものとする。
【００１７】
[0017]  添付の図面とともに以下に説明される開示の態様は、開示の態様を限定するものでなく、開示の態様を例示するために提供され、同様の名称は同様の要素を示す。
【図面の簡単な説明】
【００１８】
【図１】本開示の様々な態様による、ワイヤレス通信システムの一例を示す図。
【図２】本開示の様々な態様による、基地局の一例を示すブロック図。
【図３】本開示の様々な態様による、ＵＥの一例を示すブロック図。
【図４】本開示の様々な態様による、基準信号を送信するための方法の一例を示すフローチャート。
【図５】本開示の様々な態様による、基準信号を受信するための方法の一例を示すフローチャート。
【図６】本開示の様々な態様による、周波数密度を有する基準信号のためのリソース割振りの例を示す図。
【図７】本開示の様々な態様による、時間密度を有する基準信号のためのリソース割振りの例を示す図。
【図８Ａ】本開示の様々な態様による、時間領域をデスタガリングするときに均一な周波数割振りを有する基準信号のためのリソース割振りの例を示す図。
【図８Ｂ】本開示の様々な態様による、時間領域をデスタガリングするときに均一な周波数割振りを有する基準信号のためのリソース割振りの例を示す図。
【図９】本開示の様々な態様による、複数のスロットにわたって周波数密度を有する基準信号のためのリソース割振りの例を示す図。
【図１０】本開示の様々な態様による、基地局とＵＥとを含むＭＩＭＯ通信システムの一例を示すブロック図。
【詳細な説明】
【００１９】
[0028]  次に、図面を参照して様々な態様が説明される。以下の説明では、説明の目的で、多数の具体的な詳細が１つまたは複数の態様の完全な理解を与えるために説明される。しかしながら、そのような態様は、これらの具体的な詳細なしに実践され得ることが明らかであろう。
【００２０】
[0029]  説明される特徴は、一般に、時間トラッキングおよび／または周波数トラッキングのための基準として、別々に送信された基準信号を使用することに関する。例えば、別々に送信された基準信号は、トラッキング目的で基準信号密度(reference signal density)を効果的に増大させるために、同様のチャネル特性(similar channel characteristics)を有するものとして関連付けできる。この点に関し、トラッキングは、ロングタームエボリューション（ＬＴＥ）または他の従来のワイヤレス通信技術において定義されているように、セル固有基準信号（ＣＲＳ）または他のフルシンボル信号を必ずしも必要とせずに、第５世代（５Ｇ）新無線（ＮＲ：new radio）または他のワイヤレス通信技術などのワイヤレス通信技術において提供できる。
【００２１】
[0030]  例えば、アクセスポイントは、リソース要素（ＲＥ）の複数のセット上で複数の基準信号（ＲＳ）を送信でき、各ＲＳは、アクセスポイントで構成された１つまたは複数のアンテナポートに関係することができる。アクセスノードは、それに応じて、チャネル情報を決定するために、ＲＥ上で送信された信号を測定できる。例えば、ＲＳは、チャネル状態情報（ＣＳＩ）−ＲＳであってよく、アクセスノードは、ＣＳＩ−ＲＳに基づいてアンテナポートについてのチャネル状態情報（ＣＳＩ）を測定できる。一例において、アクセスポイントは、アンテナポートの各々についての構成をアクセスノードに送信でき、構成は、１つまたは複数のアンテナポートおよび関連するＲＥの識別子を含むことができる。加えて、アクセスポイントは、同様のチャネル特性を使用していくつかのＲＳを送信でき、トラッキング目的でＲＳの関連付けを容易にするために、アクセスノードにＲＳまたは関連するアンテナポートを示すことができる。この点に関し、例えば、アクセスノードは、細かい時間／周波数トラッキングを行い、ドップラー拡散推定を決定し、遅延拡散推定を決定することなどのために、ＲＳを受信し、そのような同様の特性を有するものとしてＲＳを関連付けできる。
【００２２】
[0031]  具体的な例において、アクセスポイントは、アンテナポートごとのＣＳＩ−ＲＳと、所与のＣＳＩ−ＲＳに対応するＲＥを示し、および／または対応するアンテナポートを示す関連する構成とを送信できる。例えば、ＣＳＩ−ＲＳは、少なくとも３２個のアンテナポート（例えば、仮想アンテナポートまたは物理アンテナポート）をサポートでき、ＸポートのＣＳＩ−ＲＳリソース用のＲＥパターンは、スロット内のＮ個のＯＦＤＭシンボルに及ぶことができ、１つまたは複数のコンポーネントＣＳＩ−ＲＳのＲＥパターンを含むことができ、ここで、Ｎは１以上である。コンポーネントＣＳＩ−ＲＳのＲＥパターンは、周波数領域内のＹ個の隣接ＲＥおよび時間領域内のＺ個の隣接ＲＥとして、単一の物理リソースブロック（ＰＲＢ）内で定義できる。少なくともＮ＝｛１，２，４｝をサポートでき、Ｎ個のＯＦＤＭシンボルは、隣接であっても、非隣接であってもよい。少なくともＣＳＩ収集用のＣＳＩ−ＲＳ、ＮＲはｘポートのＣＳＯ−ＲＳ用のＣＳＩ−ＲＳ密度ｄのＲＥ／ＲＢ／ポートをサポートでき、ここで、ｄの値は少なくともｄ＝１、１／２であってよい。加えて、ＮＲでは、非ゼロ電力（ＮＺＰ：non-zero power）ＣＳＩ−ＲＳリソースが、周波数スパンおよび／または持続時間内のＲＥのセットにマッピングされたＮＺＰ  ＣＳＩ−ＲＳポートのセットとして定義でき、それらは少なくともＣＳＩを導出するために測定でき、複数のＮＺＰ  ＣＳＩ−ＲＳリソースを構成できる。
【００２３】
[0032]  一例において、アクセスポイントは、同様のチャネル特性を使用してＣＳＩ−ＲＳのうちの少なくとも２つを送信でき、ＣＳＩ−ＲＳ間（例えば、アンテナポート間および／または対応するＲＥ間）の関連付けを示すことができる。アクセスノードは、少なくとも２つのＣＳＩ−ＲＳに関連付けられたＲＥ上でチャネル測定を行う際に、対応するＲＥ上でアクセスポイントから受信されたＲＳを関連付けるために、示された関連付けを使用できる。これにより、トラッキング用の別個の基準信号の送信を必要とすることなく、１つまたは複数のトラッキング目的を達成することを可能にするために（例えば、アクセスポイントの時間トラッキングおよび／または周波数トラッキングを行うために）、同様のチャネル特性で送信されたＲＳの密度を効果的に増大させることが可能になり得る。
【００２４】
[0033]  図１〜図１０を参照して、説明される特徴が以下でより詳細に提示される。
【００２５】
[0034]  本出願で使用される「構成要素」、「モジュール」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものとする。例えば、構成要素は、限定はしないが、プロセッサ上で稼働しているプロセス、プロセッサ、オブジェクト、実行ファイル、実行スレッド、プログラム、および／またはコンピュータであり得る。実例として、コンピューティングデバイス上で稼働しているアプリケーションと、そのコンピューティングデバイスの両方が構成要素であってよい。１つまたは複数の構成要素は、プロセスおよび／または実行スレッド内に存在でき、１つの構成要素は１つのコンピュータ上に配置されてよく、および／または２つ以上のコンピュータ間に分散できる。加えて、これらの構成要素は、様々なデータ構造を記憶している様々なコンピュータ可読媒体から実行できる。構成要素は、ローカルシステム内の別の構成要素、分散型システムと、および／またはインターネットなどのネットワークにわたって、信号を介して他のシステムと対話する１つの構成要素からのデータなどの、１つまたは複数のデータパケットを有する信号などにより、ローカルプロセスおよび／またはリモートプロセスを介して通信できる。
【００２６】
[0035]  本明細書に説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば同義で使用され得る。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書において説明されている。ＣＤＭＡ２０００およびＵＭＢは、「第３世代パートナーシッププロジェクト２」（３ＧＰＰ２）と称する団体からの文書において説明されている。本明細書において説明される技法は、共有無線周波数スペクトル帯域上のセルラー（例えば、ＬＴＥ）通信を含む、上述されたシステムおよび無線技術、並びに他のシステムおよび無線技術のために使用され得る。しかしながら、以下の説明は例としてＬＴＥ／ＬＴＥ−Ａシステムを説明し、以下の説明の大部分においてＬＴＥ用語が使用されるが、本技法はＬＴＥ／ＬＴＥ−Ａの用途以外に（例えば、５Ｇネットワークまたは他の次世代通信システムに）適用可能である。
【００２７】
[0036]  以下の説明は、例を与えるものであり、特許請求の範囲に明記される適用範囲、適用性、または例を限定するものでない。本開示の適用範囲から逸脱することなく、論じられた要素の機能および構成において変更が行われ得る。様々な例は、必要に応じて、様々な手順または構成要素を省略、置換、または追加され得る。例えば、説明される方法は、説明される順序とは異なる順序で行われてよく、様々なステップが追加されるか、省略されるか、または組み合わされ得る。また、いくつかの例に関して説明される特徴は、他の例において組み合わされ得る。
【００２８】
[0037]  いくつかのデバイス、構成要素、モジュールなどを含むことができるシステムに関して、様々な態様または特徴が提示される。様々なシステムは、追加のデバイス、構成要素、モジュールなどを含むことができ、および／または図に関して論じられたデバイス、構成要素、モジュールなどの全てを含まなくてよいことを理解および諒解されたい。これら手法の組合せがまた、使用できる。
【００２９】
[0038]  図１は、本開示の様々な態様による、ワイヤレス通信システム１００の一例を示す。ワイヤレス通信システム１００は、１つまたは複数の基地局１０５と、１つまたは複数のＵＥ１１５と、コアネットワーク１３０とを含み得る。コアネットワーク１３０は、ユーザ認証と、アクセス認可と、トラッキングと、インターネットプロトコル（ＩＰ）接続と、他のアクセス機能、ルーティング機能、またはモビリティ機能とを提供し得る。基地局１０５は、バックホールリンク１３２（例えば、Ｓ１など）を介してコアネットワーク１３０とインターフェースし得る。基地局１０５は、ＵＥ１１５との通信のための無線構成とスケジューリングとを行い得るか、または基地局コントローラ（図示せず）の制御下で動作し得る。様々な例において、基地局１０５は、有線またはワイヤレスの通信リンクであり得るバックホールリンク１３４（例えば、Ｘ２など）を介して、直接的または（例えば、コアネットワーク１３０を介して）間接的に、互いと通信し得る。
【００３０】
[0039]  基地局１０５は、１つまたは複数の基地局アンテナを介してＵＥ１１５とワイヤレスに通信し得る。基地局１０５の各々は、それぞれの地理的カバレージエリア１１０に通信カバレージを提供し得る。いくつかの例において、基地局１０５は、ネットワークエンティティ、基地トランシーバ局、無線基地局、アクセスポイント、無線トランシーバ、ノードＢ、ｅノードＢ（ｅＮＢ）、ホームノードＢ、ホームｅノードＢ、またはいくつかの他の適切な用語で呼ばれ得る。基地局１０５のための地理的カバレージエリア１１０は、カバレージエリアの一部分のみを構成するセクタに分割され得る（図示せず）。ワイヤレス通信システム１００は、異なるタイプの基地局１０５（例えば、マクロセル基地局またはスモールセル基地局）を含み得る。異なる技術のための重複する地理的カバレージエリア１１０が存在し得る。
【００３１】
[0040]  いくつかの例において、ワイヤレス通信システム１００は、ロングタームエボリューション（ＬＴＥ）またはＬＴＥアドバンスト（ＬＴＥ−Ａ）ネットワークであるか、あるいはそれを含み得る。ワイヤレス通信システム１００はまた、５Ｇワイヤレス通信ネットワークなどの次世代ネットワークであり得る。ＬＴＥ／ＬＴＥ−Ａネットワークにおいて、発展型ノードＢ（ｅＮＢ）、ｇＮＢなどという用語は一般に基地局１０５を説明するために使用され得るもので、ＵＥという用語は一般にＵＥ１１５を説明するために使用され得る。ワイヤレス通信システム１００は、異なるタイプのｅＮＢが様々な地理的領域にカバレージを提供する、異種ＬＴＥ／ＬＴＥ−Ａネットワークであり得る。例えば、各ｅＮＢまたは基地局１０５は、マクロセル、スモールセル、または他のタイプのセルに通信カバレージを提供し得る。「セル」という用語は、状況に応じて、基地局、基地局に関連付けられたキャリアもしくはコンポーネントキャリア、またはキャリアもしくは基地局のカバレージエリア（例えば、セクタなど）を説明するために使用できる３ＧＰＰ用語である。
【００３２】
[0041]  マクロセルは、比較的大きい地理的エリア（例えば、半径数キロメートル）をカバーし得るもので、ネットワークプロバイダのサービスに加入しているＵＥ１１５による無制限アクセスを可能にし得る。
【００３３】
[0042]  スモールセルは、マクロセルと比較して、マクロセルと同じかまたは異なる（例えば、認可、無認可などの）周波数帯域内で動作し得る低電力基地局を含み得る。スモールセルは、様々な例によれば、ピコセル、フェムトセル、およびマイクロセルを含み得る。ピコセルは、例えば、小さい地理的エリアをカバーし得るもので、ネットワークプロバイダのサービスに加入しているＵＥ１１５による無制限アクセスを可能にし得る。フェムトセルはまた、小さい地理的エリア（例えば、自宅）をカバーし得るもので、フェムトセルとの関連付けを有するＵＥ１１５（例えば、限定加入者グループ（ＣＳＧ：closed subscriber group）内のＵＥ１１５、自宅内のユーザのためのＵＥ１１５など）による制限付きアクセスを提供し得る。マクロセルのためのｅＮＢは、マクロｅＮＢ、ｇＮＢなどと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【００３４】
[0043]  様々な開示された例のうちのいくつかを収容し得る通信ネットワークは、階層化プロトコルスタックに従って動作するパケットベースネットワークであり得、ユーザプレーン内のデータはＩＰに基づき得る。パケットデータコンバージェンスプロトコル（ＰＤＣＰ：packet data convergence protocol）レイヤは、ＩＰパケットのヘッダ圧縮、暗号化、完全性保護などを提供できる。無線リンク制御（ＲＬＣ：radio link control）レイヤは、論理チャネル上で通信するためにパケットセグメンテーションとパケットリアセンブリとを行い得る。ＭＡＣレイヤは、優先度処理と、トランスポートチャネルへの論理チャネルの多重化とを行い得る。ＭＡＣレイヤはまた、ＭＡＣレイヤでの再送信を提供してリンク効率を改善するためにＨＡＲＱを使用し得る。制御プレーンにおいて、無線リソース制御（ＲＲＣ：radio resource control）プロトコルレイヤは、ＵＥ１１５と基地局１０５との間のＲＲＣ接続の確立と構成と維持とを提供し得る。ＲＲＣプロトコルレイヤはまた、ユーザプレーンデータのための無線ベアラのコアネットワーク１３０のサポートに使用され得る。物理（ＰＨＹ）レイヤで、トランスポートチャネルは物理チャネルにマッピングされ得る。
[0044]  ＵＥ１１５は、ワイヤレス通信システム１００全体にわたって分散され得るもので、各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むか、またはそのように当業者によって呼ばれ得る。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、エンターテインメントデバイス、車両構成要素などであり得る。ＵＥは、マクロｅＮＢ、スモールセルｅＮＢ、中継基地局などを含む、様々なタイプの基地局およびネットワーク機器と通信することが可能であり得る。
【００３５】
[0045]  ワイヤレス通信システム１００に示されている通信リンク１２５は、ＵＥ１１５から基地局１０５へのアップリンク（ＵＬ：uplink）送信、または基地局１０５からＵＥ１１５へのダウンリンク（ＤＬ：downlink）送信を搬送し得る。ダウンリンク送信はまた、順方向リンク送信と呼ばれ得るもので、アップリンク送信はまた、逆方向リンク送信と呼ばれ得る。各通信リンク１２５は１つまたは複数のキャリアを含み得るもので、各キャリアは、上述された様々な無線技術に従って変調された複数のサブキャリア（例えば、異なる周波数の波形信号）からなる信号であり得る。各変調信号は、異なるサブキャリア上で送られ得るもので、制御情報（例えば、基準信号、制御チャネルなど）、オーバーヘッド情報、ユーザデータなどを搬送し得る。通信リンク１２５は、周波数分割複信（ＦＤＤ）動作を使用して（例えば、対スペクトルリソースを使用して）、または時分割複信（ＴＤＤ）動作を使用して（例えば、不対スペクトルリソースを使用して）双方向通信を送信し得る。フレーム構造は、ＦＤＤ（例えば、フレーム構造タイプ１）およびＴＤＤ（例えば、フレーム構造タイプ２）に対して定義され得る。
【００３６】
[0046]  ワイヤレス通信システム１００の態様において、基地局１０５またはＵＥ１１５は、基地局１０５とＵＥ１１５との間の通信品質と信頼性とを改善するために、アンテナダイバーシティ方式を採用するための複数のアンテナを含み得る。追加または代替として、基地局１０５またはＵＥ１１５は、同じかまたは異なるコーディングされたデータを搬送する複数の空間レイヤを送信するために、マルチパス環境を利用できる多入力多出力（ＭＩＭＯ）技法を採用できる。
【００３７】
[0047]  ワイヤレス通信システム１００は、複数のセルまたはキャリア上での動作、すなわち、キャリアアグリゲーション（ＣＡ：carrier aggregation）動作またはマルチキャリア動作と呼ばれ得る機能をサポートし得る。キャリアはまた、コンポーネントキャリア（ＣＣ：component carrier）、レイヤ、チャネルなどと呼ばれ得る。「キャリア」、「コンポーネントキャリア」、「セル」、および「チャネル」という用語は、本明細書において同義で使用され得る。ＵＥ１１５は、キャリアアグリゲーションのための、複数のダウンリンクＣＣおよび１つまたは複数のアップリンクＣＣで構成され得る。キャリアアグリゲーションは、ＦＤＤコンポーネントキャリアとＴＤＤコンポーネントキャリアの両方とともに使用され得る。
【００３８】
[0048]  一例において、基地局１０５は、基地局１０５からのＲＳの受信を容易にするために１つもしくは複数のＵＥ１１５にリソースをスケジュールするため、および／または基地局１０５に関連するＣＳＩフィードバックを通信するためのスケジューリング構成要素２４０を含み得るもので、ＵＥ１１５は、リソーススケジューリングを受信し、それに応じてＲＳを受信し、および／またはＣＳＩフィードバックを通信するための通信構成要素３４０を含み得る。スケジューリング構成要素２４０は、例えば、（例えば、ＣＳＩ−ＲＳ構成ごとに）１つまたは複数のアンテナポートのためにＣＳＩ−ＲＳが送信されるＲＥを示す複数のＣＳＩ−ＲＳ構成を示すように構成され得るもので、また同様のチャネル特性を使用して送信されるものとしてＲＥ間および／または対応するアンテナポート間の関連付けを示すように構成され得る。通信構成要素３４０は、複数のＣＳＩ−ＲＳ構成と関連付けの指示とを受信でき、（例えば、単一のアンテナポートに関連し、単一のより小さいＲＥのセット上で受信されるＣＳＩ−ＲＳとは対照的に）それについてチャネル推定を行うための高密度ＲＳを達成するために、関連するＲＥ上でチャネル測定を行い得る。
【００３９】
[0049]  次に図２〜図１０を参照すると、態様は、本明細書において説明されるアクションまたは動作を行い得る１つまたは複数の構成要素および１つまたは複数の方法に関して描かれ、ここで、破線の態様はオプションであり得る。図４〜図５において以下に説明される動作は、特定の順序で、および／または例示的な構成要素によって行われるものとして提示されるが、アクションの順序付けおよびアクションを行う構成要素は、実施例に応じて変更され得ることを理解されたい。その上、以下のアクション、機能、および／または説明される構成要素は、特別にプログラムされたプロセッサ、特別にプログラムされたソフトウェアを実行するプロセッサ、もしくはコンピュータ可読媒体により、または説明されるアクションもしくは機能を行うことが可能なハードウェア構成要素および／もしくはソフトウェア構成要素の任意の他の組合せによって行われ得ることを理解されたい。
【００４０】
[0050]  図２を参照すると、通信リンク１２５を介して基地局１０５と通信している複数のＵＥ１１５を有するワイヤレス通信システムの一部分を含むブロック図２００が示され、基地局１０５はまた、ネットワーク２１０と通信可能に結合されている。ＵＥ１１５は、ＲＳ構成、および／またはＲＳ構成内で定義されたＲＥの少なくとも一部分に対応するＲＥ間の関連付けの指示を受信するように構成された、本開示において説明されたＵＥの例であり得る。その上、基地局１０５は、ＲＳ構成、および／またはＲＳ構成内で定義されたＲＥの少なくとも一部分の間の関連付けの指示を送信するように構成され、本開示において説明された基地局（例えば、ｅＮＢ、ｇＮＢなど）の一例であり得る。
【００４１】
[0051]  一態様において、図２の基地局は、１つまたは複数のＵＥ１１５のための通信リソースをスケジュールすることを含み得る、本開示に提示された機能、方法論（例えば、図４の方法４００）、または他の方法を行うために、スケジューリング構成要素２４０と組み合わせて動作し得る、１つまたは複数のプロセッサ２０５および／またはメモリ２０２を含み得る。本開示によれば、スケジューリング構成要素２４０は、ＲＳが送信されるべきＲＥを示すためにＵＥ１１５に１つもしくは複数のＲＳ構成を送信するため、および／または送信用の対応するＲＳを生成するためのＲＳ構成要素２４２、並びに／あるいは、同様のチャネル特性で送信されるものとしてＲＳのうちの少なくとも２つのＲＥ間の関連付けを示すためのＲＳ関連付け構成要素２４４を含み得る。
【００４２】
[0052]  １つまたは複数のプロセッサ２０５は、１つまたは複数のモデムプロセッサを使用するモデム２２０を含み得る。スケジューリング構成要素２４０および／またはその副構成要素に関係する様々な機能は、モデム２２０および／またはプロセッサ２０５に含まれ得るもので、一態様において、単一のプロセッサによって実行できるものの、他の態様において、それらの機能のうちの異なる機能が、２つ以上の異なるプロセッサの組合せによって実行され得る。例えば、一態様において、１つまたは複数のプロセッサ２０５は、モデムプロセッサ、またはベースバンドプロセッサ、またはデジタル信号プロセッサ、または送信プロセッサ、またはトランシーバ２７０に関連付けられたトランシーバプロセッサ、またはシステムオンチップ（ＳｏＣ：system-on-chip）のうちのいずれか１つまたは任意の組合せを含み得る。詳細において、１つまたは複数のプロセッサ２０５は、スケジューリング構成要素２４０に含まれる機能と構成要素とを実行し得る。
【００４３】
[0053]  いくつかの例において、スケジューリング構成要素２４０および副構成要素の各々は、ハードウェア、ファームウェア、および／またはソフトウェアを備え得るもので、メモリ（例えば、以下で論じられるメモリ２０２などのコンピュータ可読記憶媒体）に記憶された、コードを実行するか、または命令を行うように構成され得る。その上、一態様において、図２の基地局１０５は、例えば、ＵＥ１１５への無線送信を受信および送信するための、無線周波数（ＲＦ：radio frequency）フロントエンド２９０と、トランシーバ２７０とを含み得る。トランシーバ２７０は、スケジューリング構成要素２４０向けの信号を受信し、スケジューリング構成要素２４０によって生成された信号をＵＥ１１５に送信するようにモデム２２０を調整し得る。ＲＦフロントエンド２９０は、１つまたは複数のアンテナ２７３と通信可能に結合され得るもので、アップリンクチャネルおよびダウンリンクチャネル上でＲＦ信号を送信および受信するための、１つまたは複数のスイッチ２９２と、１つまたは複数の増幅器（例えば、電力増幅器（ＰＡ：power amplifier）２９４および／または低雑音増幅器２９１）と、１つまたは複数のフィルタ２９３とを含むことができる。一態様において、ＲＦフロントエンド２９０の構成要素は、トランシーバ２７０と通信可能に結合できる。トランシーバ２７０は、モデム２２０およびプロセッサ２０５のうちの１つまたは複数と通信可能に結合され得る。
【００４４】
[0054]  トランシーバ２７０は、ＲＦフロントエンド２９０経由でアンテナ２７３を介して、ワイヤレス信号を（例えば、送信機（ＴＸ）無線２７５を介して）送信し、（例えば、受信機（ＲＸ）無線２８０を介して）受信するように構成され得る。一態様において、トランシーバ２７０は、基地局１０５が、例えば、ＵＥ１１５と通信できるように、指定された周波数で動作するようにチューンされ得る。一態様において、例えば、モデム２２０は、基地局１０５の構成およびモデム２２０によって使用される通信プロトコルに基づいて、指定された周波数および電力レベルで動作するようにトランシーバ２７０を構成できる。
【００４５】
[0055]  図２の基地局１０５は、本明細書で使用されるデータ、および／またはアプリケーションもしくはスケジューリング構成要素２４０のローカルバージョン、および／またはプロセッサ２０５によって実行されているその副構成要素のうちの１つもしくは複数を記憶するためなどのメモリ２０２をさらに含み得る。メモリ２０２は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなどの、コンピュータまたはプロセッサ２０５によって使用可能な任意のタイプのコンピュータ可読媒体を含むことができる。一態様において、例えば、メモリ２０２は、スケジューリング構成要素２４０および／またはその副構成要素のうちの１つもしくは複数を定義する１つまたは複数のコンピュータ実行可能コードを記憶するコンピュータ可読記憶媒体であり得る。追加または代替として、基地局１０５は、ＲＦフロントエンド２９０、トランシーバ２７４、メモリ２０２、またはプロセッサ２０５のうちの１つまたは複数を通信可能に結合し、基地局１０５の構成要素および／または副構成要素の各々の間でシグナリング情報を交換するためのバス２１１を含み得る。
【００４６】
[0056]  一態様において、プロセッサ２０５は、図１０の基地局に関連して説明されるプロセッサのうちの１つまたは複数に対応し得る。同様に、メモリ２０２は、図１０の基地局に関連して説明されるメモリに対応し得る。
【００４７】
[0057]  図３を参照すると、通信リンク１２５を介して基地局１０５と通信している複数のＵＥ１１５を有するワイヤレス通信システムの一部分を含むブロック図３００が示され、基地局１０５はまた、ネットワーク２１０と通信可能に結合されている。ＵＥ１１５は、ＲＳ構成、および／またはＲＳ構成内で定義されたＲＥの少なくとも一部分に対応するＲＥ間の関連付けの指示を受信するように構成され、本開示において説明されたＵＥの例であり得る。その上、基地局１０５は、ＲＳ構成、および／またはＲＳ構成内で定義されたＲＥの少なくとも一部分の間の関連付けの指示を送信するように構成され、本開示において説明された基地局（例えば、ｅＮＢ、ｇＮＢなど）の一例であり得る。
【００４８】
[0058]  一態様において、図３のＵＥ１１５は、本開示に提示された機能、方法論（例えば、図５の方法５００）、または他の方法を行うために、通信構成要素３４０と組み合わせて動作し得る、１つまたは複数のプロセッサ３０５および／またはメモリ３０２を含み得る。本開示によれば、通信構成要素３４０は、ＲＳが送信されるリソースを示す１つもしくは複数のＲＳ構成を決定するため、および／または受信されたＲＳを処理するためのＲＳ決定構成要素３４２、同様のチャネル特性で送信されるものとして２つ以上のＲＳに関連付けられたＲＥ間の関連付けを決定するための関連付け決定構成要素３４４、並びに／あるいは、トラッキング目的で２つ以上のＲＳに関連付けられたＲＥ上でチャネル測定を行うため、および／またはＲＳのうちの少なくとも１つに対応するＣＳＩを決定するためのチャネル測定構成要素３４６を含み得る。
【００４９】
[0059]  １つまたは複数のプロセッサ３０５は、１つまたは複数のモデムプロセッサを使用するモデム３２０を含み得る。通信構成要素３４０および／またはその副構成要素に関係する様々な機能は、モデム３２０および／またはプロセッサ３０５に含まれ得るもので、一態様において、単一のプロセッサによって実行できるが、他の態様において、それらの機能のうちの異なる機能が、２つ以上の異なるプロセッサの組合せによって実行され得る。例えば、一態様において、１つまたは複数のプロセッサ３０５は、モデムプロセッサ、またはベースバンドプロセッサ、またはデジタル信号プロセッサ、または送信プロセッサ、またはトランシーバ３７０に関連付けられたトランシーバプロセッサ、またはシステムオンチップ（ＳｏＣ）のうちのいずれか１つまたは任意の組合せを含み得る。詳細には、１つまたは複数のプロセッサ３０５は、通信構成要素３４０に含まれる機能と構成要素とを実行し得る。
【００５０】
[0060]  いくつかの例において、通信構成要素３４０および副構成要素の各々は、ハードウェア、ファームウェア、および／またはソフトウェアを備え得るもので、メモリ（例えば、以下で説明されるメモリ３０２などのコンピュータ可読記憶媒体）に記憶された、コードを実行するか、または命令を行うように構成され得る。その上、一態様において、図３のＵＥ１１５は、例えば、基地局１０５への無線送信を受信および送信するための、ＲＦフロントエンド３９０と、トランシーバ３７０とを含み得る。トランシーバ３７０は、通信構成要素３４０によって受信されるパケットを含む信号を受信するようにモデム３２０を調整し得る。ＲＦフロントエンド３９０は、１つまたは複数のアンテナ３７３と通信可能に結合され得るもので、アップリンクチャネルおよびダウンリンクチャネル上でＲＦ信号を送信および受信するための、１つまたは複数のスイッチ３９２と、１つまたは複数の増幅器（例えば、ＰＡ３９４および／またはＬＮＡ３９１）と、１つまたは複数のフィルタ３９３とを含むことができる。一態様において、ＲＦフロントエンド３９０の構成要素は、トランシーバ３７０と通信可能に結合できる。トランシーバ３７０は、モデム３２０およびプロセッサ３０５のうちの１つまたは複数と通信可能に結合され得る。
【００５１】
[0061]  トランシーバ３７０は、ＲＦフロントエンド３９０経由でアンテナ３７３を介して、ワイヤレス信号を（例えば、送信機（ＴＸ）無線３７５を介して）送信し、（例えば、受信機（ＲＸ）無線３８０を介して）受信するように構成され得る。一態様において、トランシーバ３７０は、ＵＥ１１５が、例えば、基地局１０５と通信できるように、指定された周波数で動作するようにチューンされ得る。一態様において、例えば、モデム３２０は、ＵＥ１１５の構成およびモデム３２０によって使用される通信プロトコルに基づいて、指定された周波数および電力レベルで動作するようにトランシーバ３７０を構成できる。
【００５２】
[0062]  図３のＵＥ１１５は、本明細書で使用されるデータ、および／またはアプリケーションもしくは通信構成要素３４０のローカルバージョン、および／またはプロセッサ３０５によって実行されているその副構成要素のうちの１つもしくは複数を記憶するためなどのメモリ３０２をさらに含み得る。メモリ３０２は、ＲＡＭ、ＲＯＭ、テープ、磁気ディスク、光ディスク、揮発性メモリ、不揮発性メモリ、およびそれらの任意の組合せなどの、コンピュータまたはプロセッサ３０５によって使用可能な任意のタイプのコンピュータ可読媒体を含むことができる。一態様において、例えば、メモリ３０２は、通信構成要素３４０および／またはその副構成要素のうちの１つもしくは複数を定義する１つまたは複数のコンピュータ実行可能コードを記憶するコンピュータ可読記憶媒体であり得る。追加または代替として、ＵＥ１１５は、ＲＦフロントエンド３９０、トランシーバ３７４、メモリ３０２、またはプロセッサ３０５のうちの１つまたは複数を通信可能に結合し、ＵＥ１１５の構成要素および／または副構成要素の各々の間でシグナリング情報を交換するためのバス３１１を含み得る。
【００５３】
[0063]  一態様において、プロセッサ３０５は、図１０のＵＥに関連して説明されるプロセッサのうちの１つまたは複数に対応し得る。同様に、メモリ３０２は、図１０のＵＥに関連して説明されるメモリに対応してもよい。
【００５４】
[0064]  図４は、対応するＲＥ内で送信されるＲＳ、および／または同様のチャネル特性で送信されるものとしてＲＥ間の関連付けを示す構成に関する１つまたは複数のパラメータに関係するか、またはさもなければそれらを示す１つまたは複数のＲＳ構成を、（例えば、ｅＮＢ、ｇＮＢなどのアクセスポイントまたは基地局によって）送信するための方法４００の一例のフローチャートを示す。図５は、対応するＲＥ内で送信されるＲＳ、および／または同様のチャネル特性で送信されるものとしてＲＥ間の関連付けを示す構成に関する１つまたは複数のＲＳ構成を、（例えば、ＵＥなどのアクセスノードによって）受信するための方法５００の一例のフローチャートを示す。方法４００および５００において、破線のボックスとして示されたブロックは、オプションのステップを表し得る。
【００５５】
[0065]  方法４００では、ブロック４０２で、アンテナポート用のＲＳがスケジュールされるアンテナポート用のＲＥを各々示す複数のＲＳ構成が送信されることができる。一態様において、ＲＳ構成要素２４２は、例えば、プロセッサ２０５、メモリ２０２、トランシーバ２７０、および／またはスケジューリング構成要素２４０と連携して、複数のＲＳ構成を生成し送信でき、各ＲＳ構成は、アンテナポート用のＲＳがスケジュールされるアンテナポート用のＲＥを示す。例えば、ＲＳ構成要素２４２は、アンテナポート用のＲＳが送信される物理リソースブロック（ＰＲＢ：physical resource block）内のＲＥを示す所与のアンテナポート（または複数のアンテナポート）用のＲＳ構成を生成できる。例えば、ＲＳはＣＳＩ−ＲＳであってよい。加えて、例えば、ＲＳ構成要素２４２は、ＲＲＣまたは他の上位レイヤシグナリング、専用制御チャネルシグナリング、ブロードキャストシグナリング（例えば、１つまたは複数のマスタ情報ブロック（ＭＩＢ：master information block）またはシステム情報ブロック（ＳＩＢ：system information block））などを使用して、ＵＥ１１５にＲＳ構成を送信できる。ＲＳ構成のうちの１つまたは複数は、具体的な例において、ＮＺＰ  ＣＳＩ−ＲＳ構成に対応し得る。
【００５６】
[0066]  リソース割振りおよび関連するＣＳＩ−ＲＳ構成の例が、図６〜図９に、それぞれ、リソース割振り６００、７００、８００、および９００で示される。例えば、図６において、リソース割振り６００は、複数のシンボル（例えば、時間的に水平方向に表されたＯＦＤＭ、ＳＣ−ＦＤＭなどのシンボル）を示し、各々は複数のＲＥ（例えば、垂直方向に表された周波数の分割）を有する。一例において、複数のシンボルは、ワイヤレス通信技術（例えば、５Ｇ  ＮＲ）のスロットを形成し得る。例えば、５Ｇ  ＮＲにおけるスロットは、１２個または１４個のシンボルの集合を含むことができ、スロット内のシンボルの数は、ノーマルサイクリックプレフィックス（ＣＰ：cyclic prefix）が使用されるか拡張ＣＰが使用されるかに少なくとも部分的に依存し得る。リソース割振り６００は、（例えば、ダウンリンク制御が基地局によって送信できる）スロットの最初のシンボルとしての制御シンボル６１０と、シンボル２および１２の中の復調ＲＳ（ＤＭＲＳ）６１２と、シンボル４および９のいくつかのＲＥ内のＣＳＩ−ＲＳとを示す。リソース割振り６００は、（図の中で「０、１」とラベル付けされた）アンテナポート０、１用のＣＳＩ−ＲＳを送信するためのＲＥの隣接セットを有するものとしてシンボル４を示し、ＲＥは周波数において均一に間隔が空けられる（例えば、アンテナポート０、１用のＣＳＩ−ＲＳを送信するためのＲＥの間に同様の数の他のＲＥを有する）。リソース割振り６００は、（図の中で「２、３」とラベル付けされた）アンテナポート２、３用のＣＳＩ−ＲＳを送信するためのＲＥの隣接セットを有するものとしてシンボル９を示し、ＲＥは周波数において少なくとも実質的に均一に間隔が空けられ、シンボル４の中のアンテナポート０、１用のＣＳＩ−ＲＳと周波数において同じＲＥを使用している。図７〜図９は、以下でさらに詳細に説明されるように、他のＣＳＩ−ＲＳ構成を示す。
【００５７】
[0067]  方法５００では、ブロック５０２で、アンテナポート用のＲＳがスケジュールされるアンテナポート用のＲＥを各々示す複数のＲＳ構成が受信されることができる。一態様において、ＲＳ決定構成要素３４２は、例えば、プロセッサ３０５、メモリ３０２、トランシーバ３７０、および／または通信構成要素３４０と連携して、複数のＲＳ構成を受信でき、各ＲＳ構成はアンテナポート用のＲＳがスケジュールされるアンテナポート用のＲＥを示す。説明されたように、一例では、所与のＲＳ構成が２つ以上のアンテナポートに適用し得る（例えば、図６を参照すると、ＣＳＩ−ＲＳ構成は、アンテナポート０、１用に受信でき、アンテナポート０、１用のＣＳＩ−ＲＳ構成が送信されるシンボル４の中のＲＥを示す）。図６の例において、（例えば、説明されたように、ＲＲＣシグナリング、専用制御シグナリング、ブロードキャストシグナリングなどを介して）ＲＳ構成要素２４２はアンテナポート０、１用のＲＳ構成を送信でき、および／またはＲＳ決定構成要素３４２はアンテナポート２、３用のＲＳ構成を基地局１０５から受信できる。ＲＳ構成のうちの１つまたは複数は、具体的な例において、ＮＺＰ  ＣＳＩ−ＲＳ構成に対応し得る。
【００５８】
[0068]  方法４００では、ブロック４０４で、同様の特性に関係するものとして少なくとも２つのアンテナポート間の関連付けを示す関連付け構成が送信できる。一態様において、ＲＳ関連付け構成要素２４４は、例えば、プロセッサ２０５、メモリ２０２、トランシーバ２７０、および／またはスケジューリング構成要素２４０と連携して、同様のチャネル特性に関係する（または同様のチャネル特性を有する）ものとして少なくとも２つのアンテナポート間（または対応するＲＥ間）の関連付けを示す関連付け構成を送信できる。例えば、トランシーバ２７０は、その後、ＲＳの密度を効果的に増大させるために、同様のチャネル特性を使用することによって関連付けられていると示されたＲＥ上でＲＳを送信し得る。関連付けは、例えば、同じチャネルがこの関連付けにおいて示されたアンテナポートを介して測定できること、あるいは、アンテナポートが、場合によって、受信機の空間パラメータ(spatial parameters)、および／もしくは遅延拡散(delay spread)、および／もしくはドップラー拡散(Doppler spread)、および／もしくは平均遅延(average delay)、および／もしくはドップラーシフト(Doppler shift)、またはそれらの組合せに関して、準コロケートされていることを示すために使用できる。この点に関し、例えば、少なくとも２つのアンテナポートは、（例えば、同様のチャネル特性を有する２つのチャネルの代わりに）全く同じチャネルの測定を可能にできる。これにより、ＵＥ１１５が、関連するアンテナポートに対応するＲＥ上で受信されたＲＳに基づいて、基地局１０５に関連付けられた細かい時間／周波数トラッキング、ドップラー拡散推定、遅延拡散推定、平均遅延、ドップラー拡散などの、トラッキング機能を行うことが可能になり得る。
【００５９】
[0069]  一例において、ＲＳ関連付け構成要素２４４は、ＲＥの特性に少なくとも部分的に基づいて（例えば、リソース割振り６００におけるように、アンテナポート用のＲＥが後のシンボル内の同様の周波数のＲＥであると決定することに基づいて、リソース割振り７００におけるように、アンテナポート用のＲＥが同じシンボル内で均一に間隔が空けられたＲＥを含むと決定することなどに基づいて）、アンテナポートまたは関係するＲＥを関連付けるように決定できる。別の例において、ＲＳ関連付け構成要素２４４は、メモリ２０２に記憶された構成に基づいて、アンテナポートまたは関係するＲＥを関連付けるように決定でき、この構成はアンテナポートを関連付けることを示し得る。いずれの場合も、ＲＳ関連付け構成要素２４４は、説明されたように、ＲＲＣシグナリング、専用シグナリング、ブロードキャストシグナリングなどを使用して、関連付けの指示を送信できる。例えば、ＲＳ関連付け構成要素２４４は、アンテナポート間または関連するＲＥ間の関連付けを示すことができる。一例において、ＲＳ関連付け構成要素２４４は、１つもしくは複数の所与のシンボルまたは他のリソース上でアンテナポートに適用されるものとして関連付けを示すことができ（例えば、第１のシンボル上のＣＳＩ−ＲＳリソース０のポート０．０は、ＣＳＩ−ＲＳリソース１のポート１．０およびポート１．１と関連付けでき）、ここで、記法Ｘ．Ｙは構成されているＸ番目のＣＳＩ−ＲＳリソースのＹ番目のポートを指す。一例において、ＲＳ関連付け構成要素２４４は、シンボルおよび／または対応するスロット内で同じかまたは同様の周期、帯域幅、および／またはサブキャリア位置を有するＲＥを関連付けできる。
【００６０】
[0070]  図６を参照すると、例えば、ＲＳ関連付け構成要素２４４は、スロットの異なるシンボル内にある少なくとも２つのアンテナポートの関連付けを示し得る。例えば、ＲＳ関連付け構成要素２４４は、アンテナポート０および２の関連付けを示し得るとともに、同様のチャネル特性を有する対応するＣＳＩ−ＲＳを送信し得る。従って、ＵＥ１１５は、シンボル４および９の中でＣＳＩ−ＲＳを効果的に受信でき、リソース割振り６０２に示されたように、トラッキングの目的でチャネル測定を行うためにＣＳＩ−ＲＳを関連付けできる。この点に関し、ＵＥ１１５は、説明されたように、周波数および時間において多様な６つのＲＥを使用してトラッキング機能を行い得、これは、ＵＥが、アンテナポート０用のＣＳＩ−ＲＳに対応するＲＥのみを使用して、トラッキング目的で時間／周波数をより良く推定し、ドップラー拡散または遅延拡散などを推定することを可能にできる。この例では、ＣＳＩ−ＲＳが（リソース割振り６００において）周波数における何らかの密度を伴って構成されるので、関連付けは、チャネル測定用の複数のＲＥを取得するために、異なるシンボル内のアンテナポートにわたって行うことができる。この例において、各ＰＲＢ内の密度はアンテナポート当たり３つのＲＥであるが、１つのポートを搬送する全てのＲＥが同じＯＦＤＭシンボル内に現れる。この具体的で例示的な構成は、ドップラー推定および周波数オフセットトラッキングに望ましくないことがある。従って、ＲＳ関連付け構成要素２４４は、２つのそのようなＣＳＩ−ＲＳリソースを構成し、次いで、第１のＣＳＩ−ＲＳリソースのアンテナポートを第２のＣＳＩ−ＲＳリソースのポートと関連付けでき、その結果、最終的に、２つ以上のＯＦＤＭシンボル上に６つのＲＥの密度を有する効果的なポート（リソース割振り６０２におけるポート０）が達成される。
【００６１】
[0071]  同様に、図７を参照すると、例えば、ＲＳ関連付け構成要素２４４は、スロットの複数のシンボルの同じセット内にあって、周波数上で均一に間隔が空けられた（例えば、少なくとも２つのアンテナポート用のＲＳを送信することに割り当てられたＲＥの間に同様の数の他にＲＥを有する）少なくとも２つのアンテナポートの関連付けを示し得る。例えば、ＲＳ関連付け構成要素２４４は、アンテナポート０、２、および４の関連付けを示し得るとともに、同様のチャネル特性を有する対応するＣＳＩ−ＲＳを送信し得る。従って、ＵＥ１１５は、シンボル４および９の上のそれぞれのＲＥ内でＣＳＩ−ＲＳを効果的に受信でき、リソース割振り７０２に示されたように、トラッキングの目的でチャネル測定を行うためにＣＳＩ−ＲＳを関連付けできる。この例では、各ＣＳＩ−ＲＳが複数のシンボル（４および９）内で構成されるように、ＣＳＩ−ＲＳが（リソース割振り７００において）時間における何らかの密度を伴って構成されるので、関連付けは、チャネル測定用の複数のＲＥを取得するために、同じシンボル内のアンテナポートにわたって行うことができる。この例において、各ＰＲＢ内の密度はアンテナポート当たり２つのＲＥであるが、１つのポートを搬送する全てのＲＥが異なるＯＦＤＭシンボル内に現れる。これは、遅延拡散推定および時間オフセットトラッキングに望ましくないことがある。従って、ＲＳ関連付け構成要素２４４は、３つのそのようなＣＳＩ−ＲＳリソースを構成し、次いで、第１のＣＳＩ−ＲＳリソースのアンテナポートを第２のＣＳＩ−ＲＳリソースのポートおよび第３のＣＳＩ−ＲＳリソース内のポートと関連付けでき、その結果、最終的に、基地局１０５および／またはそれとの通信に関係する１つまたは複数のトラッキング目的を行うための６つのＲＥの密度を有する効果的なポート（リソース割振り７０２におけるポート０）が達成される。
【００６２】
[0072]  図８Ａおよび図８Ｂを参照すると、例えば、ＲＳ関連付け構成要素２４４は、スロットの異なるシンボル内にあって、時間におけるＲＥのデスタガリングが周波数上での均一な間隔をもたらすように、周波数上で均一に間隔が空けられた少なくとも２つのアンテナポートの関連付けを示し得る。例えば、ＲＳ関連付け構成要素２４４は、アンテナポート０、２、４、６、８、および１０の関連付けを示し得るとともに、同様のチャネル特性を有する対応するＣＳＩ−ＲＳを送信し得る。従って、ＵＥ１１５は、シンボル４、７、および１０の中でＣＳＩ−ＲＳを効果的に受信でき、リソース割振り８０２に示されたように、トラッキングの目的でチャネル測定を行うためにＣＳＩ−ＲＳを関連付けし得る。この例では、いくつかのＣＳＩ−ＲＳが複数のシンボル（４および１０）内で構成され、いくつかが１つのシンボル（シンボル７）内で構成されるように、ＣＳＩ−ＲＳが（リソース割振り８００において）時間における何らかの密度を伴って構成されるので、関連付けは、時間領域内でデスタガリングされた場合周波数内で均一に間隔が空けられたＲＥを有するアンテナポートにわたって行うことができる。この例において、ＲＳ関連付け構成要素２４４は、１０個のＣＳＩ−ＲＳリソースを構成し、次いで、第１のＣＳＩ−ＲＳリソースのアンテナポート（ポート０）を、時間領域内でデスタガリングされた場合周波数内で均一に間隔が空けられた複数のポート（２、４、６、８、１０）と関連付けでき、その結果、最終的に、９個のＲＥの密度を有する効果的なポート（リソース割振り８０２におけるポート０）が達成される。
【００６３】
[0073]  図９を参照すると、例えば、ＲＳ関連付け構成要素２４４は、異なるスロット内にある少なくとも２つのアンテナポートの関連付けを示し得る。例えば、ＲＳ関連付け構成要素２４４は、異なるスロット内で送信されるアンテナポート０および２の関連付けを示し得るとともに、異なるスロットにわたって同様のチャネル特性を有する対応するＣＳＩ−ＲＳを送信し得る。従って、ＵＥ１１５は、（シンボル４内の）別々のスロット内でＣＳＩ−ＲＳを効果的に受信でき、リソース割振り９０２に示されたようにトラッキングの目的でチャネル測定を行うために、同様のチャネル特性を有するものとしてＣＳＩ−ＲＳを関連付けできる。
【００６４】
[0074]  方法５００では、ブロック５０４で、同様のチャネル特性に関係するものとして少なくとも２つのアンテナポート間の関連付けを示す関連付け構成が受信できる。一態様において、関連付け決定構成要素３４４は、例えば、プロセッサ３０５、メモリ３０２、トランシーバ３７０、および／または通信構成要素３４０と連携して、同様のチャネル特性に関係する（または同様のチャネル特性を有する）ものとして少なくとも２つのアンテナポート間の関連付けを示す関連付け構成を受信できる。例えば、関連付け決定構成要素３４４は、説明されたように、ＲＲＣシグナリング、専用シグナリング、ブロードキャストシグナリングなどを介して、基地局１０５から関連付け構成を受信できる。例えば、関連付け構成は、複数のアンテナポート（または関連するＲＥ）間の関連付けを示し得る。別の例において、関連付け構成は、トラッキング機能を行うためにＲＳの複数のセットが使用され得るように、複数のアンテナポート（または関連するＲＥ）間の複数の関連付けを示し得る。
【００６５】
[0075]  例えば、関連付け構成は、（例えば、ポート番号によって）関連付けられるべきアンテナポートを明確に識別し得、（例えば、バイナリインジケータを使用して、ＣＳＩ−ＲＳが構成されているアンテナポートを関連付けることにより）構成されたアンテナポートを関連付けることを示すなどをし得る。関連付け決定構成要素３４４は、アンテナポートの明示的指示、構成された（例えば、ＵＥ１１５へのＣＳＩ−ＲＳ用に構成された）アンテナポートを関連付ける指示などに基づいて、アンテナポート（または関連するＲＥ）をどのように関連付けるかを受信し決定できる。一例において、関連付け決定構成要素３４４は、ＣＳＩ−ＲＳリソースセット内の構成されたＮＺＰ  ＣＳＩ−ＲＳリソースの同じポートインデックスを有するアンテナポートが同じであると決定できる。
【００６６】
[0076]  方法４００では、ブロック４０６で、関連付け構成に少なくとも部分的に基づいて、ＲＳは、少なくとも２つのアンテナポートに対応するＲＥ上で同様のチャネル特性に基づいて送信できる。一態様において、ＲＳ構成要素２４２は、例えば、プロセッサ２０５、メモリ２０２、トランシーバ２７０、および／またはスケジューリング構成要素２４０と連携して、関連付け構成に少なくとも部分的に基づいて、（例えば、対応するＲＳ構成内で示されたように）少なくとも２つのアンテナポートに対応するＲＥ上で、同様のチャネル特性に基づくＲＳを送信できる。例えば、図６を参照して、ＲＳ構成要素２４２は、同様のチャネル特性を使用する（リソース割振り６０２内のアンテナポート０と関連付けられるように示された）リソース割振り６００内のアンテナポート０および２と関連付けられたＲＥ内で、ＣＳＩ−ＲＳを送信できる。例えば、同様のチャネル特性を達成するために、ＲＳ構成要素２４２は、同じかまたは同様のアナログまたはデジタルのプリコーダを使用して、対応するＲＥ内でアンテナポート用のＲＳを送信できる。例えば、図７を参照して、ＲＳ構成要素２４２は、同様のチャネル特性を使用する（リソース割振り７０２内のアンテナポート０と関連付けられるように示された）リソース割振り７００内のアンテナポート０、２、および４と関連付けられるたＲＥ内で、ＣＳＩ−ＲＳを送信できる。例えば、図８Ａおよび図８Ｂを参照して、ＲＳ構成要素２４２は、同様のチャネル特性を使用する（リソース割振り８０２内のアンテナポート０と関連付けられるように示された）リソース割振り８００内のアンテナポート０、２、４、６、８、および１０と関連付けられたＲＥ内で、ＣＳＩ−ＲＳを送信できる。例えば、図９を参照して、ＲＳ構成要素２４２は、複数のスロットにわたって同様のチャネル特性を使用する（リソース割振り９０２内のアンテナポート０と関連付けられるように示された）リソース割振り９００内のアンテナポート０および２と関連付けられたＲＥ内で、ＣＳＩ−ＲＳを送信できる。
【００６７】
[0077]  方法５００では、ブロック５０６で、少なくとも２つのアンテナポートに対応するＲＥ内で複数のＲＳが受信できる。一態様において、ＲＳ決定構成要素３４２は、例えば、プロセッサ３０５、メモリ３０２、トランシーバ３７０、および／または通信構成要素３４０と連携して、少なくとも２つのアンテナポートに対応するＲＥ内で複数のＲＳを受信できる。例えば、ＲＳ決定構成要素３４２は、（割振り６００、７００、８００、９００に示されたように）受信されたＲＳ構成のうちの少なくともいくつかにおいて示されたＲＥ内でＲＳを受信できる。
【００６８】
[0078]  方法５００では、ブロック５０８で、少なくとも２つのアンテナポートに対応するＲＥ上で受信された複数のＲＳの少なくとも一部分のチャネル測定が、関連付け構成に少なくとも部分的に基づいて行える。一態様において、チャネル測定構成要素３４６は、例えば、プロセッサ３０５、メモリ３０２、トランシーバ３７０、および／または通信構成要素３４０と連携して、関連付け構成に少なくとも部分的に基づき、少なくとも２つのアンテナポートに対応するＲＥ上で受信された複数のＲＳの少なくとも一部分のチャネル測定を行うことができる。例えば、チャネル測定構成要素３４６は、少なくとも２つのアンテナポートを使用して全く同じチャネルを測定でき、例えば、１つのチャネルを推定するために異なるアンテナポートの基準信号をコヒーレントに結合できる。言い換えると、例えば、チャネル測定構成要素３４６は、（例えば、チャネル推定の目的で）同じアンテナポートであるものとして少なくとも２つのアンテナポートを見なすかまたは想定できる。例えば、通信構成要素３４０は、同じかまたは同様のアナログまたはデジタルのプリコーダに基づいて、対応するＲＥ内でアンテナポート用のＲＳを受信でき、それに応じて、集団のＲＥに基づいてチャネル測定を行うことができる。
【００６９】
[0079]  方法５００では、オプションとしてブロック５１０で、時間トラッキング値(time tracking value)、周波数トラッキング値(frequency tracking value)、ドップラー拡散推定値(Doppler spread estimation value)、または遅延拡散推定値(delay spread estimation value)のうちの少なくとも１つが、チャネル測定に少なくとも部分的に基づいて決定できる。一態様において、チャネル測定構成要素３４６は、例えば、プロセッサ３０５、メモリ３０２、トランシーバ３７０、および／または通信構成要素３４０と連携して、チャネル測定に少なくとも部分的に基づいて、時間トラッキング値、周波数トラッキング値、ドップラー拡散推定値、または遅延拡散推定値のうちの少なくとも１つを決定できる。一例において、通信構成要素３４０は、基地局１０５からのダウンリンク通信においてチャネルを推定またはさもなければ復号する際に、そのような値を使用できる。例えば、チャネル測定構成要素３４６は、ＣＲＳまたは他のトラッキング信号に基づいて（例えば、スロット上で受信され、同様のチャネル特性を使用して送信されるように想定された信号の特性を比較することに基づいて）、ＬＴＥ内でそのような値を決定することと同様に、１つまたは複数の値を決定できる。
【００７０】
[0080]  方法５００では、オプションとしてブロック５１２で、複数のＲＳ構成に関連付けられたアンテナポート用に測定されたＣＳＩの指示が送信できる。一態様において、チャネル測定構成要素３４６は、例えば、プロセッサ３０５、メモリ３０２、トランシーバ３７０、および／または通信構成要素３４０と連携して、（例えば、基地局１０５に）複数のＲＳ構成に関連付けられたアンテナポート用に測定されたＣＳＩの指示を測定および／または送信できる。従って、ＵＥ１１５は、結合されたＣＳＩ−ＲＳに基づいてトラッキング機能を行えないだけでなく、また受信されたＣＳＩ−ＲＳのうちの１つまたは複数に基づいてＣＳＩを送信できる。
【００７１】
[0081]  さらにこの点に関し、方法４００では、オプションとしてブロック４０８で、ＣＳＩに関係する１つまたは複数のパラメータがＲＳを送信することに基づいて受信できる。一態様において、スケジューリング構成要素２４０は、例えば、プロセッサ２０５、メモリ２０２、および／またはトランシーバ２７０と連携して、ＲＳを送信することに基づいてＣＳＩに関係する１つまたは複数のパラメータを受信できる。これは、基地局１０５が、ＵＥ１１５との制御通信および／またはデータ通信を送信するためのアンテナポートを選択することを可能にできる。
【００７２】
[0082]  図１０は、基地局１０５とＵＥ１１５とを含むＭＩＭＯ通信システム１０００のブロック図である。ＭＩＭＯ通信システム１０００は、図１を参照して説明されたワイヤレス通信システム１００の態様を示し得る。基地局１０５は、図１〜図３を参照して説明された基地局１０５の態様の一例であり得る。基地局１０５はアンテナ１０３４および１０３５を装備し得るもので、ＵＥ１１５はアンテナ１０５２および１０５３を装備し得る。ＭＩＭＯ通信システム１０００において、基地局１０５は、同時に複数の通信リンクを介してデータを送ることが可能であり得る。各通信リンクは「レイヤ」と呼ばれる得るもので、通信リンクの「ランク」は、通信に使用されるレイヤの数を示し得る。例えば、基地局１０５が２つの「レイヤ」を送信する２×２のＭＩＭＯ通信システムにおいて、基地局１０５とＵＥ１１５との間の通信リンクのランクは２である。
【００７３】
[0083]  基地局１０５において、送信（Ｔｘ）プロセッサ１０２０は、データソースからデータを受信し得る。送信プロセッサ１０２０はデータを処理し得る。送信プロセッサ１０２０はまた、制御シンボルまたは基準シンボルを生成し得る。送信ＭＩＭＯプロセッサ１０３０は、適用可能な場合、データシンボル、制御シンボル、または基準シンボルに対して空間処理（例えば、プリコーディング）を行い得るとともに、出力シンボルストリームを送信変調器／復調器１０３２および１０３３に供給し得る。各変調器／復調器１０３２〜１０３３は、出力サンプルストリームを取得するために、（例えば、ＯＦＤＭ用などの）それぞれの出力シンボルストリームを処理し得る。各変調器／復調器１０３２〜１０３３はさらに、ＤＬ信号を取得するために、出力サンプルストリームを処理（例えば、アナログに変換、増幅、フィルタリング、およびアップコンバート）し得る。一例において、変調器／復調器１０３２および１０３３からのＤＬ信号は、それぞれ、アンテナ１０３４および１０３５を介して送信され得る。
【００７４】
[0084]  ＵＥ１１５は、図１〜図３を参照して説明されたＵＥ１１５の態様の一例であり得る。ＵＥ１１５で、ＵＥアンテナ１０５２および１０５３は、基地局１０５からＤＬ信号を受信し得るもので、それぞれ、変調器／復調器１０５４および１０５５に受信信号を供給し得る。各変調器／復調器１０５４〜１０５５は、入力サンプルを取得するために、それぞれの受信信号を整え（例えば、フィルタリング、増幅、ダウンコンバート、およびデジタル化）得る。各変調器／復調器１０５４〜１０５５はさらに、受信されたシンボルを取得するために、（例えば、ＯＦＤＭ用などの）入力サンプルを処理し得る。ＭＩＭＯ検出器１０５６は、変調器／復調器１０５４および１０５５から受信されたシンボルを取得し、適用可能な場合、受信されたシンボルに対してＭＩＭＯ検出を行い、検出されたシンボルを供給し得る。受信（Ｒｘ）プロセッサ１０５８は、検出されたシンボルを処理（例えば、復調、デインターリーブ、および復号）し、ＵＥ１１５のための復号されたデータをデータ出力に供給し、復号された制御情報をプロセッサ１０８０またはメモリ１０８２に供給し得る。
【００７５】
[0085]  プロセッサ１０８０は、場合によっては、通信構成要素３４０をインスタンス化するために記憶された命令を実行し得る（例えば、図１および図３参照）。
【００７６】
[0086]  アップリンク（ＵＬ）上では、ＵＥ１１５で、送信プロセッサ１０６４が、データソースからデータを受信し処理し得る。送信プロセッサ１０６４はまた、基準信号のための基準シンボルを生成し得る。送信プロセッサ１０６４からのシンボルは、適用可能な場合、送信ＭＩＭＯプロセッサ１０６６によってプリコードされ、（例えば、ＳＣ−ＦＤＭＡ用などの）変調器／復調器１０５４および１０５５によってさらに処理され、基地局１０５から受信された送信パラメータに従って基地局１０５に送信され得る。基地局１０５で、ＵＥ１１５からのＵＬ信号は、アンテナ１０３４および１０３５によって受信され、変調器／復調器１０３２および１０３３によって処理され、適用可能な場合、ＭＩＭＯ検出器１０３６によって検出され、受信プロセッサ１０３８によってさらに処理され得る。受信プロセッサ１０３８は、復号されたデータをデータ出力およびプロセッサ１０４０またはメモリ１０４２に供給し得る。
【００７７】
[0087]  プロセッサ１０４０は、場合によっては、スケジューリング構成要素２４０をインスタンス化するために記憶された命令を実行し得る（例えば、図１および図２参照）。
【００７８】
[0088]  ＵＥ１１５の構成要素は、ハードウェアにおいて適用可能な機能の一部または全部を行うように適合された１つまたは複数のＡＳＩＣで個別にまたはまとめて実施され得る。言及されたモジュールの各々は、ＭＩＭＯ通信システム１０００の動作に関係する１つまたは複数の機能を行うための手段であり得る。同様に、基地局１０５の構成要素は、ハードウェアにおいて適用可能な機能の一部または全部を行うように適合された１つまたは複数のＡＳＩＣで個別にまたはまとめて実施され得る。言及された構成要素の各々は、ＭＩＭＯ通信システム１０００の動作に関係する１つまたは複数の機能を行うための手段であり得る。
【００７９】
[0089]  添付の図面に関して上に明記された上の詳細な説明は、例を説明するもので、実施され得るかもしくは特許請求の範囲の適用範囲内にある例のみを表すとは限らない。「例」という語は、この説明において使用されるとき、「例、事例、または例示の役目を果たすこと」を意味し、「好ましい」または「他の例よりも有利な」を意味するものではない。詳細な説明は、説明された技法の理解を与える目的で具体的な詳細を含む。しかしながら、これらの技法は、これらの具体的な詳細なしに実践され得る。いくつかの事例では、説明された例の概念を不明瞭にすることを回避するために、よく知られている構造および装置がブロック図の形態で示されている。
【００８０】
[0090]  情報および信号は、様々な異なる技術および技法のいずれかを使用して表され得る。例えば、上記の説明全体にわたって参照され得るデータ、命令、コマンド、情報、信号、ビット、シンボル、およびチップは、電圧、電流、電磁波、磁場もしくは磁気粒子、光場もしくは光学粒子、コンピュータ可読媒体に記憶されたコンピュータ実行可能なコードもしくは命令、またはそれらの任意の組合せによって表され得る。
【００８１】
[0091]  本明細書の開示に関して説明された様々な例示的なブロックおよび構成要素は、限定はしないが、プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書において説明された機能を行うように設計されたそれらの任意の組合せなどの、特別にプログラムされたデバイスで実施または行われ得る。特別にプログラムされたプロセッサはマイクロプロセッサであり得るが、代替として、プロセッサは、任意の従来のプロセッサ、コントローラ、マイクロコントローラ、または状態機械であり得る。特別にプログラムされたプロセッサは、コンピューティングデバイスの組合せ、例えば、ＤＳＰとマイクロプロセッサの組合せ、複数のマイクロプロセッサ、ＤＳＰコアと連携する１つもしくは複数のマイクロプロセッサ、または任意の他のそのような構成として実施され得る。
【００８２】
[0092]  本明細書において説明された機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとして非一時的コンピュータ可読媒体に記憶されるか、または非一時的コンピュータ可読媒体を介して送信され得る。他の例および実施例は、本開示および添付の特許請求の範囲の適用範囲および精神の範疇にある。例えば、ソフトウェアの性質により、上述された機能は、特別にプログラムされたプロセッサによって実行されるソフトウェア、ハードウェア、ファームウェア、ハードワイヤリング、またはこれらのうちのいずれかの組合せを使用して実施できる。機能を実施する特徴はまた、機能の部分が異なる物理的位置で実施されるように分散されることを含めて、様々な場所に物理的に配置され得る。また、特許請求の範囲を含めて、本明細書で使用される「のうちの少なくとも１つ」で終わる項目のリスト内で使用される「または」は、例えば、「Ａ、Ｂ、またはＣのうちの少なくとも１つ」のリストがＡまたはＢまたはＣまたはＡＢまたはＡＣまたはＢＣまたはＡＢＣ（すなわち、ＡおよびＢおよびＣ）を意味するような選言的リストを示す。
【００８３】
[0093]  コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気ストレージデバイス、あるいは、命令またはデータ構造の形態の所望のプログラムコード手段を搬送または記憶するために使用でき、汎用コンピュータもしくは専用コンピュータまたは汎用プロセッサもしくは専用プロセッサによってアクセスできる、任意の他の媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の適用範囲内に含まれる。
【００８４】
[0094]  本開示のこれまでの説明は、当業者が本開示を作成または使用することが可能になるように提供される。本開示への様々な修正は当業者には容易に明らかになり、本明細書で定義された共通原理は、本開示の精神または適用範囲から逸脱することなく、他の変形形態に適用され得る。さらに、説明された態様および／または実施形態の要素は、単数形で説明または特許請求され得るもので、単数形への限定が明示的に述べられていない限り、複数形が考えられる。さらに、任意の態様および／または実施形態の全部または一部は、別段説明されない限り、任意の他の態様および／または実施形態の全部または一部とともに利用され得る。従って、本開示は、本明細書において説明された例および設計に限定されるべきでなく、本明細書で開示された原理および新規の特徴に合致する最も広い適用範囲を与えられるべきである。
【図１】
2020520600.tif 000003
【図２】
2020520600.tif 000004
【図３】
2020520600.tif 000005
【図４】
2020520600.tif 000006
【図５】
2020520600.tif 000007
【図６】
2020520600.tif 000008
【図７】
2020520600.tif 000009
【図８Ａ】
2020520600.tif 000010
【図８Ｂ】
2020520600.tif 000011
【図９】
2020520600.tif 000012
【図１０】
2020520600.tif 000013
【国際調査報告】
2020520600.tif 000014
2020520600.tif 000015
2020520600.tif 000016